(57)【要約】      （修正有）【課題】差動修正装置によりスライドフレームの第二レールに対する差動移動の偏差を修正可能なスライドレールキットを提供する。【解決手段】スライドレールキットは、第一レール２６、第二レール３０、スライドフレーム３６、差動修正装置３４、及びアクチュエーター４０を有する。第二レール３０は第一レール２６に対して縦方向に移動できる。スライドフレーム３６は第一レール２６にスライドするように取り付けられ、第二レール３０を積載する。スライドフレーム３６は第二レール３０の移動に従い、第二レール３０に対して差動するように移動する。差動修正装置３４は第一レール２６に取り付けられ、且つ作動部材、及び作動部材に可動するよう連接されるプッシュ部材を有する。【選択図】図３
0003197481.tif 000002
【実用新案登録請求の範囲】
【請求項１】
第一レール、第二レール、スライドフレーム、差動修正装置、およびアクチュエーターを備え、
前記第二レールは、縦方向に前記第一レールに対して閉位置と延長位置との間で移動可能であり、
前記スライドフレームは、前記第一レールにスライドするように取り付けられており、前記第二レールを積載し、前記スライドフレームは、前記第二レールの移動に従い、前記第二レールに対して差動するようにスライド移動し、
前記差動修正装置は、前記第一レールに取り付けられ、前記差動修正装置は、作動部材、及び前記作動部材に可動するよう連接されるプッシュ部材を有し、
前記アクチュエーターは、前記第二レールに連接されており、
前記スライドフレームの差動移動に偏差が生じると、前記第二レールの前記閉位置より前記延長位置への移動過程において、前記アクチュエーターは、前記作動部材を駆動し、前記作動部材は、前記プッシュ部材を連動し、前記第一レールに対して移動させ、前記スライドフレームを連動して移動させ前記偏差を修正することを特徴とするスライドレールキット。
【請求項２】
前記差動修正装置の前記作動部材を、前記第一レールに軸着する軸着部材をさらに備え、
前記作動部材は、接触部をさらに有し、
前記第二レールの前記第一レールに対する、前記閉位置と前記延長位置との間の移動の過程において、前記アクチュエーターは、前記接触部を押圧し、前記作動部材を駆動して回転させることを特徴とする請求項１に記載のスライドレールキット。
【請求項３】
前記差動修正装置の前記作動部材は、歯部をさらに有し、
前記プッシュ部材は、前記歯部と噛み合うラックをさらに有し、
前記作動部材が前記アクチュエーターに駆動されると、前記歯部は前記ラックを連動し、これにより前記プッシュ部材は前記第一レールに対して移動することを特徴とする請求項１に記載のスライドレールキット。
【請求項４】
前記プッシュ部材は、前記軸着部材が貫通する案内槽をさらに有することを特徴とする請求項２に記載のスライドレールキット。
【請求項５】
前記差動修正装置は弾性部材をさらに有し、
前記プッシュ部材は、前記弾性部材が提供する弾力に反応し、移動位置から所定位置へと自動的に回帰することを特徴とする請求項１に記載のスライドレールキット。
【請求項６】
前記差動修正装置は、前記第一レールに連接するベースをさらに有し、
前記プッシュ部材は前記ベースに可動するよう連接されることを特徴とする請求項５に記載のスライドレールキット。
【請求項７】
前記ベースは、区画部をさらに有し、
前記プッシュ部材は、前記弾性部材を収容する収容室をさらに有し、
前記ベースの区画部は、前記弾性部材の一部位を押圧することを特徴とする請求項６に記載のスライドレールキット。
【請求項８】
前記第一レールは、区画部をさらに有し、
前記プッシュ部材は、前記弾性部材を収容する収容室をさらに有し、前記第一レールの区画部は、前記弾性部材の一部位を押圧することを特徴とする請求項５に記載のスライドレールキット。
【請求項９】
前記スライドフレームは、前記第二レールを積載する少なくとも１個のローラーをさらに有することを特徴とする請求項１に記載のスライドレールキット。
【請求項１０】
引き出しを有する引き出し本体に用いるスライドレールキットであって、
第一レール、第二レール、第三レール、スライドフレーム、差動修正装置、および、アクチュエーターを備え、
前記第一レールは、前記引き出し本体に取り付けられており、
前記第二レールは、前記第一レールと前記第三レールとの間に、可動するように取り付けられており、
前記第二レールは、前記第一レールに対して、閉位置と延長位置との間で縦方向に移動し、
前記第三レールは、前記引き出しを積載し、
前記スライドフレームは、前記第一レールにスライドするように取り付けられており、前記第二レールを積載し、前記第二レールの移動に従い、前記第二レールに対して差動するように移動し、
前記差動修正装置は、前記第一レールに取り付けられており、作動部材、及び前記作動部材に可動するよう連接されているプッシュ部材を有し、
前記アクチュエーターは、前記第二レールに連接されており、
前記スライドフレームの差動移動に偏差が生じると、前記第二レールの前記閉位置より前記延長位置への移動過程において、前記アクチュエーターは、前記作動部材を駆動し、前記作動部材は、前記プッシュ部材を連動し、前記第一レールに対して移動させ、こうして前記スライドフレームを連動して移動させ前記偏差を修正することを特徴とするスライドレールキット。
【請求項１１】
前記差動修正装置の前記作動部材を、前記第一レールに軸着する軸着部材をさらに備え、
前記作動部材は、接触部をさらに有し、前記第二レールの前記第一レールに対する、前記閉位置と前記延長位置との間の移動の過程において、前記アクチュエーターは、前記接触部を押圧し、前記作動部材を駆動して回転させることを特徴とする請求項１０に記載のスライドレールキット。
【請求項１２】
前記差動修正装置の前記作動部材は、歯部をさらに有し、
前記プッシュ部材は、前記歯部と噛み合うラックをさらに有し、
前記作動部材が前記アクチュエーターに駆動されると、前記歯部は前記ラックを連動し、前記プッシュ部材は前記第一レールに対して移動することを特徴とする請求項１０に記載のスライドレールキット。
【請求項１３】
前記差動修正装置は弾性部材をさらに有し、
前記プッシュ部材は、前記弾性部材が提供する弾力に反応し、移動位置から所定位置へと自動的に回帰することを特徴とする請求項１０に記載のスライドレールキット。
【請求項１４】
前記差動修正装置は、前記第一レールに連接するベースをさらに有し、
前記プッシュ部材は、前記ベースに可動するよう連接されており、
前記ベースは、区画部を有し、
前記プッシュ部材は、前記弾性部材を収容する収容室を有し、
前記ベースの区画部は、前記弾性部材の一部位を押圧することを特徴とする請求項１３に記載のスライドレールキット。
【請求項１５】
前記第一レールは、区画部をさらに有し、
前記プッシュ部材は、前記弾性部材を収容する収容室をさらに有し、
前記第一レールの区画部は、前記弾性部材の一部位を押圧することを特徴とする請求項１３に記載のスライドレールキット。
【請求項１６】
第一レール、第二レール、スライドフレーム、および、差動修正装置を備え、
前記第二レールは、縦方向に前記第一レールに対して移動可能であり、
前記スライドフレームは、スライドするように、前記第一レールに取り付けられており、前記第二レールを積載し、
前記差動修正装置は、前記第一レールに取り付けられており、前記差動修正装置は、作動部材、及び前記作動部材に可動するように連接するプッシュ部材を有し、
前記第二レールが前記作動部材を駆動させると、前記作動部材は前記プッシュ部材を連動して移動させ、これにより前記スライドフレームは一位置まで移動することを特徴とするスライドレールキット。
【請求項１７】
軸着部材をさらに備え、
前記差動修正装置の前記作動部材は前記第一レールに軸着されており、
前記作動部材は、接触部をさらに有し、こうして前記第二レールが前記第一レールに対して移動する過程において、前記第二レールの一部分は前記接触部を押圧し、前記作動部材を駆動して回転させることを特徴とする請求項１６に記載のスライドレールキット。
【請求項１８】
前記差動修正装置の前記作動部材は、歯部をさらに有し、
前記プッシュ部材は、ラックをさらに有し、前記歯部と噛み合い、
前記作動部材が前記第二レールにより駆動されると、前記歯部は前記ラックを連動し、前記プッシュ部材は前記第一レールに対して移動することを特徴とする請求項１６に記載のスライドレールキット。
【請求項１９】
前記プッシュ部材は、導引槽をさらに有し、
前記軸着部材は、前記導引槽を通過することを特徴とする請求項１７に記載のスライドレールキット。
【請求項２０】
前記差動修正装置は、弾性部材をさらに有し、
前記プッシュ部材は、前記弾性部材が提供する弾力に反応し、移動位置から所定位置へと自動的に回帰することを特徴とする請求項１６に記載のスライドレールキット。
【考案の詳細な説明】
【技術分野】
【０００１】
本考案は、スライドレールキットに関する。
【背景技術】
【０００２】
通常、スライドレールキットは引き出し或いは類似物に取り付けられる。
スライドレールキットは通常、第一レール、第一レールに対して縦方向に移動する第二レール、及びスライドフレームを有する。
スライドフレームは、第一レールと第二レールとの間に取り付けられ、第二レールを積載し、且つ第二レールの第一レールに対する移動を助ける。
第二レールが第一レールに対して移動すると、スライドフレームは第二レールに対して特定比率の差動移動を保持することができる。
【０００３】
しかしながら、この差動移動は、いつまでも保証され続けられるものではない。
すなわち、スライドフレームは第二レールの差動移動に対して、偏差の問題を生じる可能性がある。
【０００４】
特許文献１に開示された構造、及びその図式に示す引き出しに用いるプルガイドレールキットは、サポートレール１、プルレール２、サポートレール１とプルレール２との間に可動するように取り付けるスライドフレーム３を有し、前末端位置と後末端位置との間で、プルレール２に対して差動するようにスライド移動する。
スライドフレーム３には、制動装置を取り付けられ、制動装置により、スライドフレーム３のこれらレール部材に対する差動スライド移動の偏差を修正することができる。
【先行技術文献】
【特許文献】
【０００５】
【特許文献１】米国特許第ＵＳ７３０９１１５Ｂ２号明細書
【考案の概要】
【考案が解決しようとする課題】
【０００６】
本考案は、スライドレールキットの第一レールに差動修正装置を連接し、差動修正装置によりスライドフレームの第二レールに対する差動移動の偏差を修正可能なスライドレールキットを提供することにある。
【課題を解決するための手段】
【０００７】
本考案によるスライドレールキットは、第一レール、第二レール、スライドフレーム、差動修正装置、及びアクチュエーターを有する。
第二レールは、縦方向に第一レールに対して閉位置と延長位置との間で移動することができる。
スライドフレームは、第一レールにスライドするように取り付けられ、第二レールを積載する。
スライドフレームは、第二レールの移動に従い、第二レールに対して差動するようにスライド移動する。
差動修正装置は、第一レールに取り付けられる。
差動修正装置は、作動部材、及び作動部材に可動するよう連接されるプッシュ部材を有する。
アクチュエーターは、第二レールに連接され、スライドフレームの差動移動に偏差が生じると、第二レールの閉位置より延長位置への移動過程において、アクチュエーターは、作動部材を駆動する。
これにより、作動部材は、プッシュ部材を連動し、第一レールに対して移動させ、こうしてスライドフレームを連動して移動させ偏差を修正する。
【０００８】
最も好ましくは、スライドレールキットは、差動修正装置の作動部材を第一レールに軸着する軸着部材をさらに有する。
作動部材は、接触部をさらに有する。
これにより、第二レールが第一レールに対して、閉位置と延長位置との間で移動する過程において、アクチュエーターは、接触部を押圧し、作動部材の回転を駆動する。
【０００９】
最も好ましくは、差動修正装置の作動部材は、歯部をさらに有し、プッシュ部材は、歯部と噛み合うラックをさらに有する。
作動部材がアクチュエーターに駆動されると、歯部はラックを連動し、これによりプッシュ部材は第一レールに対して移動する。
プッシュ部材は案内槽をさらに有し、軸着部材は案内槽を貫通する。
【００１０】
最も好ましくは、差動修正装置は弾性部材をさらに有し、プッシュ部材は、弾性部材が提供する弾力に反応し、移動位置から所定位置へと自動的に回帰する。
差動修正装置は、第一レールに連接されるベース、ベースに可動するように連接されるプッシュ部材をさらに有する。
ベースは、区画部をさらに有し、プッシュ部材は、弾性部材を収容する収容室をさらに有する。
ベースの区画部は、弾性部材の一部位を押圧する。
第一レールは、区画部をさらに有し、プッシュ部材は、弾性部材を収容する収容室をさらに有する。
第一レールの区画部は、弾性部材の一部位を押圧する。
【００１１】
最も好ましくは、スライドフレームは、第二レールを積載する少なくとも１個のローラーをさらに有する。
【００１２】
本考案によるもう一つのスライドレールキットは、引き出し本体に用いるスライドレールキットで、引き出し本体は、引き出しを有する。
スライドレールキットは、第一レール、第二レール、第三レール、スライドフレーム、差動修正装置、及びアクチュエーターを有する。
第一レールは、引き出し本体に取り付けられる。
第二レールは、第一レールと第三レールとの間に、可動するように取り付けられる。
第二レールは、第一レールに対して、閉位置と延長位置との間で縦方向に移動し、第三レールは、引き出しを積載する。
スライドフレームは、第一レールにスライドするように取り付けられ、第二レールを積載する。
スライドフレームは、第二レールの移動に従い、第二レールに対して差動するように移動する。
差動修正装置は、第一レールに取り付けられる。
差動修正装置は、作動部材、及び作動部材に可動するよう連接されるプッシュ部材を有する。
アクチュエーターは、第二レールに連接され、スライドフレームの差動移動に偏差が生じると、第二レールの閉位置より延長位置への移動過程において、アクチュエーターは、作動部材を駆動する。
これにより、作動部材は、プッシュ部材を連動し、第一レールに対して移動させ、こうしてスライドフレームを連動して移動させ偏差を修正する。
【００１３】
最も好ましくは、スライドレールキットは、差動修正装置の作動部材を第一レールに軸着する軸着部材をさらに有し、作動部材は、接触部をさらに有する。
これにより、第二レールが第一レールに対して、閉位置と延長位置との間で移動する過程において、アクチュエーターは、接触部を押圧し、作動部材の回転を駆動する。
【００１４】
最も好ましくは、差動修正装置の作動部材は、歯部をさらに有し、プッシュ部材は、歯部と噛み合うラックをさらに有する。
作動部材がアクチュエーターに駆動されると、歯部はラックを連動し、これによりプッシュ部材は第一レールに対して移動する。
【００１５】
最も好ましくは、差動修正装置は弾性部材をさらに有し、プッシュ部材は、弾性部材が提供する弾力に反応し、移動位置から所定位置へと自動的に回帰する。
差動修正装置は、第一レールに連接されるベース、ベースに可動するように連接されるプッシュ部材をさらに有する。
ベースは、区画部を有する。
プッシュ部材は、弾性部材を収容する収容室を有する。
ベースの区画部は、弾性部材の一部位を押圧する。
第一レールは、区画部をさらに有し、プッシュ部材は、弾性部材を収容する収容室をさらに有する。
第一レールの区画部は、弾性部材の一部位を押圧する。
【００１６】
本考案によるもう一つのスライドレールキットは、第一レール、第二レール、スライドフレーム及び差動修正装置を有する。
第二レールは、縦方向に第一レールに対して移動することができる。
スライドフレームは、スライドするように第一レールに取り付けられ、第二レールを積載する。
差動修正装置は、第一レールに取り付けられ、差動修正装置は、作動部材、及び作動部材に可動するように連接するプッシュ部材を有する。
第二レールが作動部材を駆動させると、作動部材はプッシュ部材を連動して移動させ、これによりスライドフレームは一位置まで移動する。
【００１７】
最も好ましくは、スライドレールキットは、軸着部材をさらに有する。
これにより、差動修正装置の作動部材は第一レールに軸着し、作動部材は、接触部をさらに有し、こうして第二レールが第一レールに対して移動する過程において、第二レールの一部分は接触部を押圧し、作動部材を駆動して回転させる。
【００１８】
最も好ましくは、差動修正装置の作動部材は、歯部をさらに有し、プッシュ部材は、ラックをさらに有し、歯部と噛み合う。
作動部材が第二レールにより駆動されると、歯部はラックを連動し、これによりプッシュ部材は第一レールに対して移動する。
【００１９】
最も好ましくは、プッシュ部材は、導引槽をさらに有し、軸着部材は、導引槽を通過する。
【００２０】
最も好ましくは、差動修正装置は、弾性部材をさらに有し、プッシュ部材は、弾性部材が提供する弾力に反応し、移動位置から所定位置へと自動的に回帰する。
【００２１】
本考案の実施形態を応用する特徴の一つは、スライドフレームが第二レールに対して差動移動し偏差を生じると、第一レールに位置する差動修正装置により偏差を修正することができる。
【図面の簡単な説明】
【００２２】
【図１】本考案の一実施形態によるスライドレールキットを引き出し本体の引き出しに運用する状態を示す斜視図である。
【図２】本考案の一実施形態によるスライドレールキットが延長されて展開する状態を示す模式図である。
【図３】本考案の一実施形態によるスライドレールキットの分解斜視図である。
【図４】本考案の一実施形態によるスライドレールキットの側面図である。
【図５】本考案の一実施形態による差動修正装置と第一レールの分解斜視図である。
【図６Ａ】本考案の一実施形態による差動修正装置の平面図であり、作動部材の歯部とプッシュ部材のラックとが相互に噛み合うことを示す。
【図６Ｂ】本考案の一実施形態による差動修正装置の平面図であり、区画部が弾性部材の一部位に押圧し、これにより弾性部材を第一弾性部と第二弾性部に区画されることを示す。
【図６Ｃ】本考案の一実施形態による差動修正装置の平面図であり、もう一つの視角の区画部が弾性部材の一部位を押圧することを示す。
【図７Ａ】本考案の一実施形態による差動修正装置のプッシュ部材とベースの平面図であり、プッシュ部材が力を受けていない状態を示す。
【図７Ｂ】本考案の一実施形態による差動修正装置のプッシュ部材とベースの平面図で、プッシュ部材が力を受け、第一方向へと連動されて移動し、これにより弾性部材の第一弾性部はプッシュ部材と区画部との間に圧迫され弾力を蓄えることを示す。
【図７Ｃ】本考案の一実施形態による差動修正装置のプッシュ部材とベースの平面図であり、プッシュ部材が力を受け、第二方向へと連動されて移動し、これにより弾性部材の第二弾性部はプッシュ部材と区画部との間に圧迫され、弾力を蓄えることを示す。
【図８Ａ】本考案の一実施形態によるプッシュ部材が所定位置にあることを示す模式図である。
【図８Ｂ】本考案の一実施形態による第二レールが第一レールに対して閉位置より延長位置の方向へと移動時に、スライドフレームが第二レールの動きに従い正常に差動スライド移動し、且つアクチュエーターが作動部材を駆動してプッシュ部材を連動し、これによりプッシュ部材が所定位置からベースに対して移動する状態を示す模式図である。
【図８Ｃ】本考案の一実施形態による第二レールが第一レールに対して閉位置より延長位置の方向へと移動時に、スライドフレームが第二レールの動きに従い正常に差動スライド移動し、且つアクチュエーターは作動部材を駆動しさらにプッシュ部材を連動し、これによりプッシュ部材は所定位置よりベースに対してさらに移動する状態を示す模式図である。
【図８Ｄ】本考案の一実施形態による第二レールが第一レールに対して閉位置より延長位置の方向へと移動時に、スライドフレームが第二レールの動きに従い正常に差動スライド移動し、且つアクチュエーターが作動部材を越え、これによりプッシュ部材が所定位置へと自動的に回帰する状態を示す模式図である。
【図９Ａ】本考案の一実施形態によるプッシュ部材が所定位置にあることを示す模式図である。
【図９Ｂ】本考案の一実施形態による第二レールが第一レールに対して延長位置より閉位置の方向へと移動する時、スライドフレームが第二レールの動きに従い正常に差動スライド移動し、且つアクチュエーターが作動部材を駆動してプッシュ部材を連動し、これによりプッシュ部材が所定位置からベースに対して移動する状態を示す模式図である。
【図９Ｃ】本考案の一実施形態による第二レールが第一レールに対して延長位置より閉位置の方向へと移動する時、スライドフレームが第二レールの動きに従い正常に差動スライド移動し、且つアクチュエーターは作動部材を駆動しさらにプッシュ部材を連動し、これによりプッシュ部材は所定位置よりベースに対してさらに移動する状態を示す模式図である。
【図９Ｄ】本考案の一実施形態による第二レールが第一レールに対して延長位置より閉位置の方向へと移動する時、スライドフレームが第二レールの動きに従い正常に差動スライド移動し、且つアクチュエーターが作動部材を越え、これによりプッシュ部材が所定位置へと自動的に回帰する状態を示す模式図である。
【図１０Ａ】本考案の一実施形態によるプッシュ部材が所定位置にあることを示す模式図である。
【図１０Ｂ】本考案の一実施形態によるプッシュ部材が所定位置にあり、且つ第二レールが第一レールに対して延長位置より閉位置の方向へと移動する状態を示す模式図である。
【図１０Ｃ】本考案の一実施形態による第二レールが第一レールに対して延長位置より閉位置の方向へと移動する時、スライドフレームが第二レールの動きに従い異常に差動スライド移動し、且つアクチュエーターが作動部材を駆動してプッシュ部材を連動し、これによりプッシュ部材が所定位置からベースに対して移動する状態を示す模式図である。
【図１０Ｄ】本考案の一実施形態による第二レールが第一レールに対して延長位置より閉位置の方向へと移動する時、スライドフレームが第二レールの動きに従い異常に差動スライド移動し、且つアクチュエーターは作動部材を駆動しさらにプッシュ部材を連動し、これによりプッシュ部材は所定位置よりベースに対してさらに移動する状態を示す模式図である。
【図１１Ａ】本考案の一実施形態によるプッシュ部材が所定位置にあり、且つスライドフレームが差動スライド移動の異常により偏差位置にある状態を示す模式図である。
【図１１Ｂ】本考案の一実施形態による第二レールが第一レールに対して閉位置より延長位置の方向へと移動時に、アクチュエーターが作動部材を駆動してプッシュ部材を連動し、これによりプッシュ部材が所定位置からベースに対して移動しスライドフレームの移動を連動する状態を示す模式図である。
【図１１Ｃ】本考案の一実施形態による第二レールが第一レールに対して閉位置より延長位置の方向へと移動時に、アクチュエーターが作動部材を駆動しさらにプッシュ部材を連動し、これによりプッシュ部材は所定位置よりベースに対してさらに移動しスライドフレームを連動して正常に第二レールに対して差動移動できる理想的な位置まで移動する状態を示す模式図である。
【図１１Ｄ】本考案の一実施形態による第二レールが第一レールに対して閉位置より延長位置の方向へと移動時に、アクチュエーターが作動部材を越え、これによりプッシュ部材が所定位置へと自動的に回帰する状態を示す模式図である。
【図１２】考案の他の実施形態による差動修正装置の分解斜視図である。
【考案を実施するための形態】
【００２３】
（一実施形態）
図１は、本考案の一実施形態によるスライドレールキット２０が、引き出し本体２２に運用されることを示す。
【００２４】
引き出し本体２２は、少なくとも１個の引き出し２４を有する。
少なくとも１個の引き出し２４は、スライドレールキット２０により、引き出し本体２２内に容易に閉められ、或いは引き出し本体２２内より引き出される。
【００２５】
図２は、スライドレールキット２０が延長展開状態にある状態を示す模式図である。
【００２６】
スライドレールキット２０は、第一レール２６及び第二レール３０を有し、ここでは第三レール３２をさらに有する。
第一レール２６は、取り付け部２８により、引き出し本体２２に取り付けられる。
【００２７】
差動修正装置３４は、第一レール２６に取り付けられる。
本実施形態中では、差動修正装置３４は第一レール２６に隣り合う端部に連接されるが、実施上これに制限されない。
差動修正装置３４は、第一レール２６に連接されるため、差動修正装置３４は、第一レール２６の一部分と見做される。
第二レール３０と第三レール３２は、縦方向に第一レール２６に対して移動する。
第二レール３０は、第一レール２６と第三レール３２との間に、可動するように取り付けられる。
第三レール３２は、引き出し２４を積載する。
【００２８】
図３と図４は、第一レール２６、第二レール３０、及び第三レール３２の分解状態と組み立て状態をそれぞれ示す。
【００２９】
スライドフレーム３６は、第一レール２６にスライドするように取り付けられ、第二レール３０を積載する。
スライドフレーム３６は、少なくとも１個のローラー３８（或いはローリングボール）をさらに有し、第二レール３０を積載し、第二レール３０の第一レール２６に対する移動を助ける。
【００３０】
アクチュエーター４０は、第二レール３０に固定するように連接される。
アクチュエーター４０は、凸出物或いは棒状物であるが、これに制限されない。
一実施形態において、アクチュエーター４０は、第二レール３０の一部分と見做される。
スライドフレーム３６が第二レール３０に対して差動移動し偏差を生じると、アクチュエーター４０により差動修正装置３４を連動し、これにより差動修正装置３４はスライドフレーム３６の偏差を修正することができる（詳細は後述する）。
【００３１】
図５と図６Ａ〜図６Ｃに示すとおり、差動修正装置３４は、プッシュ部材４２、及び第一レール２６に取り付けられる作動部材４４を有する。
ここでは、プッシュ部材４２及び作動部材４４は、ベース４６といっしょに、第一レール２６に取り付けられる。
プッシュ部材４２は、可動するようにベース４６に連接される。
ベース４６は、少なくとも１個の取り付け部材（図示なし）により、第一レール２６に取り付けられる。
一実施形態中では、ベース４６は、区画部４８を有する。
【００３２】
プッシュ部材４２は、可動するように作動部材４４に連接される。
プッシュ部材４２は、ラック５０、収容室５２、及び案内槽５４を有する。
作動部材４４は、多数の歯部５６及び接触部５８をさらに有する。
各歯部５６は、プッシュ部材４２のラック５０に対応して噛み合う。
【００３３】
弾性部材６０は、プッシュ部材４２の収容室５２内に収容される。
ベース４６の区画部４８は、弾性部材６０の両端間に押圧し（例えば、区画部４８はおおよそ弾性部材６０の中間部位に押圧するが、それに制限されない）、これにより弾性部材６０は、区画部４８により第一弾性部６２と第二弾性部６４に区画される。
【００３４】
軸着部材６６は、プッシュ部材４２の案内槽５４を通過し、作動部材４４をベース４６に軸着する。
【００３５】
図７Ａと図７Ｂに示すとおり、プッシュ部材４２が力を受けて、所定位置より第一方向Ｄ１へと連動されて移動すると、プッシュ部材４２はベース４６に対して第一方向Ｄ１へと移動する過程において、弾性部材６０の第一弾性部６２は、プッシュ部材４２と区画部４８との間に圧迫され、弾力を蓄える。
【００３６】
力が解除されると、弾性部材６０の第一弾性部６２は弾力を放出し、プッシュ部材４２は弾力に反応し、移動位置（図７Ｂ参照）から所定位置へと自動的に回帰する（図７Ａ参照）。
【００３７】
図７Ａと図７Ｃに示すとおり、プッシュ部材４２が力を受けて、所定位置から第二方向Ｄ２へと連動されて移動すると、プッシュ部材４２がベース４６に対して第二方向Ｄ２へと移動する過程において、弾性部材６０の第二弾性部６４は、プッシュ部材４２と区画部４８との間に圧迫され、弾力を蓄える。
【００３８】
力が解除されると、弾性部材６０の第二弾性部６４は弾力を放出し、プッシュ部材４２は弾力に反応し、移動位置から（図７Ｃ参照）所定位置へと自動的に回帰する（図７Ａ参照）。
【００３９】
図８Ａ〜図８Ｄに示すとおり、正常状態下では、第二レール３０（図８Ａ〜図８Ｄはアクチュエーター４０だけを示し、第二レール３０の第一レール２６に対する可動位置を示す）が縦方向に第一レール２６に対して、閉位置から第一方向Ｄ１へと延長位置へ向う移動過程において、スライドフレーム３６は第二レール（アクチュエーター４０）の移動に従い、第二レール（アクチュエーター４０）に対して差動（ｄｉｆｆｅｒｅｎｔｉａｌｌｙ）を保持しつつスライド移動する。
【００４０】
例えば、第二レール（アクチュエーター４０）が第一方向Ｄ１へとある行程の移動を行うと、スライドフレーム３６は同期且つ正確に第二レール（アクチュエーター４０）の特定比率の行程（例えば、半分の行程）を移動する。
即ち、正常状態下では、差動修正装置３４は、スライドフレーム３６の差動移動の位置に対して、修正しない。
【００４１】
第二レール３０（アクチュエーター４０）が閉位置より第一方向Ｄ１へ向い延長位置への移動過程において、アクチュエーター４０は作動部材４４の接触部５８をプッシュでき、作動部材４４を駆動して逆時計回りの方向へと回転させる。
これにより、作動部材４４の歯部５６は、力を提供し、プッシュ部材４２のラック５０を連動する。
プッシュ部材４２は、これにより可動でき（即ち、プッシュ部材４２は可動するよう作動部材４４に連接される）、こうしてプッシュ部材４２はベース４６に対して第一方向Ｄ１へ向い移動する（図８Ｂ、図８Ｃ参照）。
アクチュエーター４０が作動部材４４の接触部５８を越えると、プッシュ部材４２は、弾性部材６０の第一弾性部６２が放出する弾力を受け、プッシュ部材４２は所定位置へと自動的に回帰する（図８Ｄ参照）。
【００４２】
図９Ａ〜図９Ｄに示すとおり、正常状態下では、第二レール３０（図９Ａ〜図９Ｄはアクチュエーター４０だけを示し、第二レール３０の第一レール２６に対する可動位置を示す）が縦方向に第一レール２６に対して延長位置より第二方向Ｄ２へ閉位置に向う閉過程において、アクチュエーター４０は作動部材４４の接触部５８をプッシュでき、作動部材４４を駆動し時計回りの方向へと回転させる。
これにより、作動部材４４の歯部５６は、力を提供し、プッシュ部材４２のラック５０を連動する。
こうして、プッシュ部材４２はベース４６と第一レール２６に対して第二方向Ｄ２へと移動する（図９Ｂ、図９Ｃ参照）。
アクチュエーター４０が作動部材４４の接触部５８を越えると、プッシュ部材４２は弾性部材６０の第二弾性部６４が放出する弾力を受け、プッシュ部材４２は所定位置へと自動的に回帰する（図９Ｄ参照）。
【００４３】
しかしながら、第二レール（アクチュエーター４０）が、第一レール２６に対して、第一方向Ｄ１或いは第二方向Ｄ２において、何度も行ったり来たりの移動を行うと、ローラーとスライドレールとの間のスライド移動の速度差或いは他の外的要因の影響を受け、スライドフレーム３６の第二レール（アクチュエーター４０）に対する特定比率の差動移動は、いつまでも保証されるものではなく、スライドフレーム３６の第二レール（アクチュエーター４０）に対する差動移動の異常状態が、発生する可能性がある。
【００４４】
図１０Ａ〜図１０Ｄに示すとおり、異常状態発生時には、スライドフレーム３６の第二レール（アクチュエーター４０）に対する差動移動に偏差が発生し、これによりスライドフレーム３６の第二レール（アクチュエーター４０）に対する差動移動時の位置に偏差が生じる。
こうして、スライドフレーム３６は、所定の特定比率に基づき、第二レール（アクチュエーター４０）に対して移動することができなくなる。
よって、第二レール（アクチュエーター４０）の第一レール２６に対する延長位置より第二方向Ｄ２へ向う閉過程において、スライドフレーム３６の第二レール（アクチュエーター４０）に対する移動の位置は誤りである（或いは理想的でない）。
【００４５】
図１１Ａ〜図１１Ｄに示すとおり、異常状態を解除するために、第二レール（アクチュエーター４０）が第一レール２６に対して閉位置より第一方向Ｄ１へと延長位置へ向う移動過程において、アクチュエーター４０は作動部材４４の接触部５８をプッシュでき、作動部材４４を駆動して逆時計回りの方向へと回転させる。
これにより、作動部材４４の歯部５６は、力を提供し、プッシュ部材４２のラック５０を連動する。
こうして、プッシュ部材４２は連動され、ベース４６と第一レール２６に対して所定位置（図１１Ａ）より第一方向Ｄ１へと移動する（図１１Ｂ、図１１Ｃ）。
【００４６】
スライドフレーム３６の第二レール（アクチュエーター４０）に対する移動の位置は誤りである（或いは理想的でない）ため、プッシュ部材４２は移動時に、スライドフレーム３６に接触することができる。
これにより、スライドフレーム３６を連動し、正常に第二レール（アクチュエーター４０）に対して差動移動させられる理想的な位置（図１１Ｃ）（即ち、差動修正装置３４はスライドフレーム３６の差動移動の位置を修正する）へと移動させる。
こうして、スライドフレーム３６の第二レール（アクチュエーター４０）に対する差動移動の偏差を完全に修正することができる。
【００４７】
これにより、スライドフレーム３６は第二レール（アクチュエーター４０）に対して、正常な差動移動を再び保持することができる。
一方では、アクチュエーター４０が作動部材４４の接触部５８を越えると、プッシュ部材４２は、弾性部材６０の第一弾性部６２が放出する弾力を受け、プッシュ部材４２は所定位置へと自動的に回帰する（図１１Ｄ）。
【００４８】
図１２は、本考案のもう一つの実施形態による差動修正装置２００の実施型態を示す。
【００４９】
差動修正装置２００と前記実施形態との差異はおおよそ以下のとおりである。
差動修正装置２００のプッシュ部材２０２と作動部材２０４とは、第一レール２０６に直接取り付けられる（即ち、差動修正装置２００は前記実施形態のベース４６を備えない）。
第一レール２０６は区画部２０８を有し、弾性部材２１０の一部位を押圧する。
上記の構造配置により、同様に前記実施形態の技術効果を達成できる。
差動修正装置２００の動作原理は、詳述しない。
【００５０】
前記した本考案の実施形態は本考案を限定するものではなく、よって、本考案により保護される範囲は実用新案登録請求の範囲を基準とする。
【符号の説明】
【００５１】
２０  スライドレールキット、
２２  引き出し本体、
２４  引き出し、
２６、２０６  第一レール、
２８  取り付け部、
３０  第二レール、
３２  第三レール、
３４、２００  差動修正装置、
３６  スライドフレーム、
３８  ローラー、
４０  アクチュエーター、
４２、２０２  プッシュ部材、
４４、２０４  作動部材、
４６  ベース、
４８、２０８  区画部、
５０  ラック、
５２  収容室、
５４  案内槽、
５６  歯部、
５８  接触部、
６０、２１０  弾性部材、
６２  第一弾性部、
６４  第二弾性部、
６６  軸着部材、
Ｄ１  第一方向、
Ｄ２  第二方向。
【図１】
0003197481.tif 000003
【図２】
0003197481.tif 000004
【図３】
0003197481.tif 000005
【図４】
0003197481.tif 000006
【図５】
0003197481.tif 000007
【図６Ａ】
0003197481.tif 000008
【図６Ｂ】
0003197481.tif 000009
【図６Ｃ】
0003197481.tif 000010
【図７Ａ】
0003197481.tif 000011
【図７Ｂ】
0003197481.tif 000012
【図７Ｃ】
0003197481.tif 000013
【図８Ａ】
0003197481.tif 000014
【図８Ｂ】
0003197481.tif 000015
【図８Ｃ】
0003197481.tif 000016
【図８Ｄ】
0003197481.tif 000017
【図９Ａ】
0003197481.tif 000018
【図９Ｂ】
0003197481.tif 000019
【図９Ｃ】
0003197481.tif 000020
【図９Ｄ】
0003197481.tif 000021
【図１０Ａ】
0003197481.tif 000022
【図１０Ｂ】
0003197481.tif 000023
【図１０Ｃ】
0003197481.tif 000024
【図１０Ｄ】
0003197481.tif 000025
【図１１Ａ】
0003197481.tif 000026
【図１１Ｂ】
0003197481.tif 000027
【図１１Ｃ】
0003197481.tif 000028
【図１１Ｄ】
0003197481.tif 000029
【図１２】
0003197481.tif 000030